(57)【特許請求の範囲】
【請求項１】
ズームレンズ鏡筒において、
レンズを保持するレンズ保持部材と、
前記レンズ保持部材に備えられる第１カムフォロワをガイドする第１カム溝を有し、前記レンズ保持部材を光軸方向に沿って移動させることができる第１カム筒と、
前記第１カム筒の光軸方向に配置され、前記第１カムフォロワをガイドする第２カム溝を有し、前記レンズ保持部材を光軸方向に沿って移動させることができる第２カム筒と、
前記第２カム筒を前記第１カム筒に対して光軸方向に相対的に移動することができるカム筒移動手段と、
を有し、
前記第１カム筒、前記第２カム筒および前記カム筒移動手段は、前記第１カム筒および前記第２カム筒が光軸方向の所定位置に配置されたときに、前記第１カム溝と前記第２カム溝とが連続し、前記第１カムフォロワが前記第１カム溝と前記第２カム溝との間を移動することができるように構成され、
前記第２カム筒の内周面には、凹面部と前記第２カム溝が形成される凸面部とが形成され、
前記第１カム筒には、前記凸面部と光軸方向において互いに嵌合することができる凹部が形成され、
前記第１カム筒と前記第２カム筒とは、前記第２カム筒の前記凹面部の内側に前記第１カム筒の外周面が配置されるように、前記第１カム筒を前記第２カム筒内に収容可能である、
ことを特徴とするズームレンズ鏡筒。
【請求項２】
請求項１に記載のズームレンズ鏡筒において、
前記第１カム溝および前記第２カム溝は、互いが連続する端部において、前記第１カムフォロワをガイドする部分の溝幅よりも拡幅されている、
ことを特徴とするズームレンズ鏡筒。
【請求項３】
請求項１または２に記載のズームレンズ鏡筒において、
前記レンズ保持部材は、前記第１カムフォロワに対して光軸方向にずれた位置に配置される第２カムフォロワを有し、
前記第１カム筒または前記第２カム筒には、前記第１カムフォロワが前記第１カム溝によるガイドを外れた後に、前記第２カムフォロワをガイドする第３カム部が設けられている、
ことを特徴とするズームレンズ鏡筒。
【請求項４】
請求項１から３のいずれか１項に記載のズームレンズ鏡筒を備えることを特徴とするデジタルカメラ。
【発明の詳細な説明】
【技術分野】
【０００１】
本発明は、ズームレンズ鏡筒およびデジタルカメラに関する。
【背景技術】
【０００２】
近年、カメラ等の光学機器に装着されるズームレンズ鏡筒においては、小型化と共に光学倍率の高倍率化の要求が高まっている。ズームレンズ鏡筒の光軸方向への小型化は、カム筒の光軸方向の長さを短くすることで達成可能となる。しかしながら、カム筒の長さを短くすると、レンズの移動量を確保することができず、高倍率化の要求に応えられないという問題がある。かかる問題を解決する手段として特許文献１の発明が開示されている。
【０００３】
特許文献１の発明の構成は、内周面にカム溝が形成された第１カム筒の内周側に、同じく内周面にカム溝が形成された第２カム筒を配置している。そして、該構成は、ワイド側では、レンズ保持枠を第１カム筒にカム係合させ、テレ側では、第１カム筒の前方（物体側）に配置される第２カム筒にレンズ保持枠をカム係合させ、ズーム動作に併せて、レンズ保持枠を第１カム筒と第２カム筒とに受け渡す構成とされている。かかる構成によれば、第１カム筒に第２カム筒を収容することでズームレンズ鏡筒の小型を図りながら、テレ側にレンズ保持枠を繰り出す際には、レンズ保持枠がカム係合する第２カム筒を第１カム筒の前方に移動させることで、繰り出し量を大きくし光学倍率の高倍率化を図ることができる。
【先行技術文献】
【特許文献】
【０００４】
【特許文献１】特開２００９−２７１１９１号公報
【発明の開示】
【発明が解決しようとする課題】
【０００５】
しかしながら、かかるズームレンズ鏡筒においては、第１カム筒の内側に第２カム筒が配置されているため、ズームレンズ鏡筒の径方向の小型化を図り難く、また、レンズ保持部材を第１カム筒に係合させる構成と第２カム筒に係合させる構成が別の部材とされているため構造が複雑であるという問題がある。
【０００６】
そこで、本発明は、小型化と構造の簡略化を図ることができるズームレンズ鏡筒およびデジタルカメラを提供することを課題とする。
【課題を解決するための手段】
【０００７】
上述の課題を解決するため、本発明のズームレンズ鏡筒は、レンズを保持するレンズ保持部材と、レンズ保持部材に備えられる第１カムフォロワをガイドする第１カム溝を有し、レンズ保持部材を光軸方向に沿って移動させることができる第１カム筒と、第１カム筒の光軸方向に配置され、第１カムフォロワをガイドする第２カム溝を有し、レンズ保持部材を光軸方向に沿って移動させることができる第２カム筒と、第２カム筒を第１カム筒に対して光軸方向に相対的に移動することができるカム筒移動手段とを有し、第１カム筒、第２カム筒およびカム筒移動手段は、第１カム筒および第２カム筒が光軸方向の所定位置に配置されたときに、第１カム溝と第２カム溝とが連続し、第１カムフォロワが第１カム溝と第２カム溝との間を移動することができるように構成され、第２カム筒の内周面には、凹面部と第２カム溝が形成される凸面部とが形成され、第１カム筒には、凸面部と光軸方向において互いに嵌合することができる凹部が形成され、第１カム筒と第２カム筒とは、第２カム筒の凹面部の内側に第１カム筒の外周面が配置されるように、第１カム筒を第２カム筒内に収容可能であることとする。
【０００８】
上記発明に加えて、本発明のズームレンズ鏡筒は、第１カム溝と第２カム溝との互いが連続する端部において、第１カムフォロワをガイドする部分の溝幅よりも拡幅されていることとする。
【０００９】
上記発明に加えて、本発明のズームレンズ鏡筒においては、レンズ保持部材は、第１カムフォロワに対して光軸方向にずれた位置に配置される第２カムフォロワを有し、第１カム筒または第２カム筒には、第１カムフォロワが第１カム溝によるガイドを外れた後に、第２カムフォロワをガイドする第３カム部が設けられていることとする。
【００１０】
上記発明に加えて、本発明のズームレンズ鏡筒においては、第１カム筒と第２カム筒は、光軸方向において互いに嵌合することができる凹凸形状を有することとする。
【００１１】
デジタルカメラにおいて、上記発明に係るズームレンズ鏡筒を備えることとする。
【図面の簡単な説明】
【００１２】
【図１】本発明の第１の実施の形態に係るズームレンズ鏡筒の光軸に沿う面における断面の概略形状を示す断面図であって、ズームレンズ鏡筒の撮影状態がワイド状態にあるときを示している。
【図２】図１に示すズームレンズ鏡筒が収納状態にあるときの断面の概略形状を示す断面図である。
【図３】図１に示すズームレンズ鏡筒に備えられる固定筒の内周面を展開したときのヘリコイド溝の形状と配置を示す図である。
【図４】図１に示すズームレンズ鏡筒に備えられる第１筒の内周面を展開したときのカム溝の形状と配置を示す図である。
【図５】図１に示すズームレンズ鏡筒に備えられる第２カム筒の外周面を展開したときのヘリコイド溝の形状と配置を示す図である。
【図６】図１に示すズームレンズ鏡筒に備えられる第２カム筒の内周面の展開図である。
【図７】図１に示すズームレンズ鏡筒に備えられる第１カム筒の内周面の展開図である。
【図８】ズームレンズ鏡筒の収納状態からテレ状態までの動作状態を示す図である。
【図９】ズームレンズ鏡筒の収納状態からテレ状態までの動作状態の変化に対応して変化する第１カム筒と第２カム筒の位置関係を示す図である。
【図１０】ズームレンズ鏡筒の収納状態からテレ状態までの動作状態の変化に対応して変化する第１カム筒と第２カム筒の位置関係を示す図である。
【図１１】上段（Ａ）は、仮に、第２カム筒を用いることなく、第１カム筒を前方に延長した構成とし、この延長された第１カム筒のみで２群レンズ保持枠の移動を行うこととしたときのカムフォロワの移動軌跡を示す図である。下段（Ｂ）は、仮に、第１カム筒を用いることなく、２群レンズ保持枠の移動を、第２カム筒のみで行う構成としたときのカムフォロワの移動軌跡を示す図である。
【発明を実施するための形態】
【００１３】
（実施の形態）
以下、本発明の実施の形態に係るズームレンズ鏡筒１の構成について、図面を参照しながら説明をする。ズームレンズ鏡筒１は、デジタルカメラに備えられるものであり、デジタルカメラの未使用時には、デジタルカメラの結像部の側に短縮させた収納状態（繰り込まれた状態）に変形することができ、また、使用時（撮影時）には、物体側に伸長させた使用状態（繰り出し状態）に変形することができるように構成されている。さらに、ズームレンズ鏡筒１は、使用状態における光学像の撮影倍率をワイド状態（広角の撮影状態）としたり、テレ状態（望遠の撮影状態）とすることができるように、レンズの配置を変えることができるように構成されている。
【００１４】
図１は、ズームレンズ鏡筒１の光軸Ｘに沿う面における断面の概略形状を示す断面図であって、ズームレンズ鏡筒１の撮影状態がワイド状態にあるときを示している。図２は、ズームレンズ鏡筒１が収納状態にあるときの断面の概略形状を示す断面図である。
【００１５】
本実施の形態の説明では、図１，２に示す、矢印Ｘ１方向を被写体が位置する方向である前方（前側）、矢印Ｘ２方向を結像部が配置される方向である後方（後側）とし、また、光軸Ｘから離れる方向を外周方向（外周側）、光軸Ｘに近づく方向を内周方向（内周側）として説明を行うこととする。また、光軸Ｘと直交する面に沿うと共に、光軸Ｘを中心とする円周に沿う方向を円周方向として説明を行うこととする。
【００１６】
なお、上述のように、本実施の形態に係るズームレンズ鏡筒１は、デジタルカメラに備えられるものとして構成されているが、本発明の構成は、デジタルカメラに使用されるズームレンズ鏡筒に限らず、フィルムカメラ、あるいは投射プロジェクタに使用されるズームレンズ鏡筒にも用いることができる。
【００１７】
（ズームレンズ鏡筒１の全体構成）
ズームレンズ鏡筒１は、固定筒２、第１筒３、第２筒４、第３筒５、第１カム筒６、第２カム筒７、２群レンズ保持枠８，１群レンズ９、２群レンズ１０、３群レンズ１１、および撮像素子１２等を有している。ズームレンズ鏡筒１は、ズームレンズ鏡筒１の光軸Ｘに、１群レンズ９、２群レンズ１０、３群レンズ１１、および撮像素子１２の光軸が一致するように、第１筒３、第２筒４、第３筒５、第１カム筒６、第２カム筒７、および２群レンズ保持枠８等が、固定筒２内に保持されている。
【００１８】
（固定筒２）
固定筒２は、略円筒状に形成され、ズームレンズ鏡筒１の外周部を構成し、図示を省略するデジタルカメラの筐体内に収容される。第１筒３等は、図１，２に示すように、デジタルカメラの未使用時・使用時に応じてデジタルカメラの筐体に対する前後方向の位置が変わるのに対し、固定筒２は、デジタルカメラの未使用時・使用時に拘わらず、デジタルカメラの筐体に対して固定された位置に配置されている。
【００１９】
固定筒２の内周面には、ヘリコイド溝１３、直進ガイド溝１４および直進ガイド溝１５が形成されている。図３は、固定筒２の内周面を展開したときのヘリコイド溝１３の形状と配置を示す図である。図３に示すように、ヘリコイド溝１３は、固定筒２の内周面に円周方向に等間隔で３箇所に形成され、光軸Ｘに対して傾斜する方向に形成される傾斜部１３Ａと、円周方向に形成される外周部１３Ｂとを有している。図３においては、直進ガイド溝１４および直進ガイド溝１５の図示を省略しているが、直進ガイド溝１４および直進ガイド溝１５は、それぞれ、光軸Ｘと平行に、円周方向に等間隔で３箇所に配置されている。
【００２０】
（第１筒３）
固定筒２の内周側には、第１筒３が配置されている。第１筒３の内周面には、カム溝１６、直進ガイド溝１７および円周ガイド溝１８が形成されている。図４は、第１筒３の内周面を展開したときのカム溝１６の形状と配置を示す図である。図４に示すように、カム溝１６は、第１筒３の円周方向に等間隔で３箇所に形成されている。図４においては、直進ガイド溝１７および円周ガイド溝１８の図示を省略しているが、直進ガイド溝１７は、光軸Ｘと平行に、円周方向に等間隔で３箇所に配置されている。また、円周ガイド溝１８は、第１筒３の内周面の後端部に全周に亘って形成されている。
【００２１】
第１筒３の外周面には、固定筒２に形成される直進ガイド溝１５に係合する直進ガイド突起１９が設けられている。直進ガイド突起１９は、３つの直進ガイド溝１５にそれぞれ対応して、円周方向に等間隔で３箇所に設けられている。
【００２２】
（第２筒４）
第１筒３の内周側には、第２筒４が配置されている。第２筒４の外周面の後端部には、第１筒３の内周面に形成される直進ガイド溝１７に係合する直進ガイド突起２０が設けられている。直進ガイド突起２０は、３つの直進ガイド溝１７にそれぞれ対応して、円周方向に等間隔で３箇所に設けられている。第２筒４の内周面には、直進ガイド溝２１および円周ガイド突起２２が形成されている。直進ガイド溝２１は、光軸Ｘと平行に、円周方向に等間隔で３箇所に形成されている。円周ガイド突起２２は、第２筒４の内周面の後端部に全周に亘って形成されている。
【００２３】
（第３筒５）
第２筒４の内周側には、第３筒５が配置されている。第３筒５の外周面の後端部には、第２筒４の内周面に形成された直進ガイド溝２１に係合する直進ガイド突起２３が設けられている。直進ガイド突起２３は、３つの直進ガイド溝２１にそれぞれ対応して、円周方向に等間隔で３箇所に設けられている。第３筒５の内周面の後端部には、ヘリコイド突起２４が形成されている。ヘリコイド突起２４は、円周方向に等間隔で３箇所に形成されている。また、第３筒５の内周には、１群レンズ９が保持されている。
【００２４】
（第２カム筒７）
第３筒５の内周側には、第２カム筒７が配置されている。第２カム筒７の外周面の後端部には、第１筒３の内周面に形成されたカム溝１６に係合するカムフォロワ２５が設けられている。このカムフォロワ２５は、３つのカム溝１６にそれぞれ対応して、円周方向に等間隔で３箇所に設けられている。また、第２カム筒７の外周面には、円周ガイド突起２２の前面に係合する円周ガイド突起２６が、円周方向に等間隔で３箇所に形成されている。円周ガイド突起２６は、カムフォロワ２５との間に円周ガイド突起２２を円周方向にガイドすることができるようにカムフォロワ２５の前方に配置されている。
【００２５】
さらに、第２カム筒７の外周面には、第３筒５のヘリコイド突起２４が係合するヘリコイド溝２７が形成されている。図５は、第２カム筒７の外周面を展開したときのヘリコイド溝２７の形状と配置を示す図である。図５に示すように、ヘリコイド溝２７は、第２カム筒７の円周方向に等間隔で３箇所に形成され、光軸Ｘに対して傾斜する方向に形成される傾斜部２７Ａと、円周方向に形成される外周部２７Ｂおよび外周部２７Ｃを有している。外周部２７Ｂは外周部２７Ｃよりも後方側に配置されている。なお、図５においては、カムフォロワ２５および円周ガイド突起２６の図示を省略している。
【００２６】
第２カム筒７の内周面には、カム溝２８，２９（図６参照）および直進ガイド突起３０が設けられている。第２カム筒７の内周面の展開図である図６に示すように、カム溝２８は、円周方向に等間隔で３箇所に形成されている。また、カム溝２９も、円周方向に等間隔で３箇所に形成されている。また、直進ガイド突起３０は、第２カム筒７の前端部から後端部に亘って、光軸Ｘと平行に、円周方向に等間隔で３箇所に形成されている。
【００２７】
第２カム筒７の内周面には、凹面部３１と凸面部３２とが形成されている。凸面部３２は、第２カム筒７の前端部から後方に向かって形成され、光軸Ｘと直交する方向から見た形状が略矩形を呈し、カム溝２８，２９に対応して、円周方向に等間隔に形成されている。凸面部３２は、凹面部３１よりも内側に向かって第２カム筒７が肉厚となるように形成されている。カム溝２８，２９は、凹面部３１に比べて第２カム筒７の肉厚が厚く形成された部分である凸面部３２に形成されている。直進ガイド突起３０は、凹面部３１に形成され、凹面部３１からの光軸Ｘ方向への突出量は、凸面部３２よりも少ない。すなわち、第２カム筒７の直進ガイド突起３０の部分の肉厚は、凸面部３２の肉厚に比べて薄い。
【００２８】
カム溝２８は、ガイド部２８Ａとその後端側の開口部において溝幅が拡幅する拡幅部２８Ｂとを有している。拡幅部２８Ｂは、ガイド部２８Ａの側から後方の開口部に向かって徐々に溝幅が広くなっている。カム溝２９も、ガイド部２９Ａとその後端側の開口部において溝幅が拡幅する拡幅部２９Ｂとを有している。拡幅部２９Ｂも、ガイド部２９Ａの側から後方の開口部に向かって徐々に溝幅が広くなっている。
【００２９】
（第１カム筒６）
第２カム筒７の後方には、第１カム筒６が配置されている。第１カム筒６の内周面には、カム溝３３，３４（図７参照）が形成されている。第１カム筒６の内周面の展開図である図７に示すように、カム溝３３は、円周方向に等間隔で３箇所に形成されている。また、カム溝３４も、円周方向に等間隔で３箇所に形成されている。カム溝３３は、ガイド部３３Ａとその前端側の開口部において溝幅が拡幅する拡幅部３３Ｂとを有している。拡幅部３３Ｂは、ガイド部３３Ａの側から前方の開口部に向かって徐々に溝幅が広くなっている。
【００３０】
第１カム筒６の外周面には、第２カム筒７に形成される直進ガイド突起３０が係合する直進ガイド溝４３が形成されている。直進ガイド溝４３は、光軸Ｘと平行に形成され、３つの直進ガイド突起３０にそれぞれ対応して設けられている。また、第１カム筒６の外周面には、第１筒３の円周ガイド溝１８に係合する円周ガイド突起３５（図１参照）が設けられている。円周ガイド突起３５は、円周方向に等間隔で３箇所に形成されている。
【００３１】
さらに、第１カム筒６の後端部には、固定筒２の内周面に形成されたヘリコイド溝１３に係合するヘリコイド突起３６が形成されている。ヘリコイド突起３６は、３つのヘリコイド溝１３にそれぞれ対応して円周方向に等間隔で３箇所に設けられている。
【００３２】
第１カム筒６には、前端部から後方に向かって略矩形に凹む凹部３７（図７参照）が形成されている。凹部３７は、第２カム筒７の内周面に形成される凸面部３２が丁度嵌合することができるように形成されている。第１カム筒６と第２カム筒７とは、第１カム筒６の凹部３７に第２カム筒７の凸面部３２を嵌合させた状態で、第２カム筒７内に第１カム筒６を収容可能な構成となっている。また、第１カム筒６内に第２カム筒７が収納され、第１カム筒６の凹部３７に第２カム筒７の凸面部３２を嵌合した状態で、第２カム筒７の凹面部３１の内側に第１カム筒６の外周面が配置される構成となっている。第１カム筒６の肉厚と、凸面部３２が凹面部３１から内周側に突出する量とは同一であり、凹面部３１に凸面部３２が嵌合した状態で、第１カム筒６の内周面と凸面部３２とは段差のない面一な状態となる。
【００３３】
（２群レンズ保持枠８）
第１カム筒６および第２カム筒７の内周側には、２群レンズ１０を保持する２群レンズ保持枠８が配置されている。２群レンズ保持枠８の外周面には、カムフォロワ３８，３９が設けられている。カムフォロワ３８は、カム溝２８およびカム溝３３に係合することができるカムフォロワである。また、カムフォロワ３９は、カム溝２９およびカム溝３４に係合することができるカムフォロワである。円周方向にそれぞれ３箇所に配置されているカム溝２８，３３に対応してカムフォロワ３８も、円周方向に等間隔で３箇所に設けられている。また、カムフォロワ３９も、円周方向にそれぞれ３箇所に配置されているカム溝２９，３４に対応して、円周方向に等間隔で３箇所に設けられている。
【００３４】
なお、２群レンズ保持枠８には、シャッタユニット４０が取り付けられ、２群レンズ１０の前方でシャッタ（図示省略）を開閉することができる。また、２群レンズ１０は、図示を省略する退避機構により、ズームレンズ鏡筒１の収納状態において、図２に示すように、光軸Ｘから外周側に外れた位置に退避することができるように構成されている。図２に示すように２群レンズ１０を光軸Ｘから外れた位置に退避させ、２群レンズ１０が退避されたスペースに３群レンズ１１を配置することで、ズームレンズ鏡筒１の収納状態時における前後方向の長さを短くすることができる。
【００３５】
２群レンズ保持枠８には、直進ガイド環４１の直進ガイド板４１Ａが通される貫通孔８Ａが形成されている。貫通孔８Ａは、光軸Ｘと平行に、円周方向に等間隔で３箇所に設けられている。直進ガイド環４１は、円周方向に形成される円環部４１Ｂと、この円環部４１Ｂから前方に光軸Ｘと平行に延設される直進ガイド板４１Ａと、固定筒２の直進ガイド溝１４に係合する係合片４１Ｃとを有している。直進ガイド板４１Ａは、貫通孔８Ａに対応して円周方向に等間隔で３箇所に設けられている。また、係合片４１Ｃも、直進ガイド溝１４に対応して円周方向に等間隔で３箇所に設けられている。
【００３６】
（３群レンズ１１、撮像素子１２）
２群レンズの後方には、３群レンズ１１が配置されている。この３群レンズ１１は、いわゆるフォーカシングレンズである。３群レンズ１１は、３群レンズ保持枠４２に保持されている。３群レンズ保持枠４２は、図示を省略するフォーカス制御部により駆動される図示を省略するフォーカスモータにより前後方向に移動可能とされている。撮像素子１２は、たとえば、ＣＣＤ（Ｃｈａｒｇｅ
Ｃｏｕｐｌｅｄ Ｄｅｖｉｃｅ Ｉｍａｇｅ Ｓｅｎｓｏｒ）を使用することができるが、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）を用いることもできる。
【００３７】
（ズームレンズ鏡筒１の動作の概略）
次に、上述の構成を有するズームレンズ鏡筒１の動作の概略を説明する。第１カム筒６の外周には図示を省略するギア部が形成され、図示を省略する駆動モータにより回転させられるピニオンギアと噛み合っている。つまり、第１カム筒６は、ズームレンズ鏡筒１を駆動する駆動環として機能するものであり、第１カム筒６が、駆動モータの回転を受けて回転することで、ズームレンズ鏡筒１を繰り出し状態や繰り込み状態に変形させることができる。
【００３８】
ズームレンズ鏡筒１は、未使用時には、図２に示す収納状態となっている。この状態から、駆動モータ（図示省略）を駆動して第１カム筒６を後方から見て反時計方向に回転させると、第１カム筒６は、第１カム筒６に設けられるヘリコイド突起３６と固定筒２に形成されるヘリコイド溝１３との作用により前方に移動する。第１カム筒６の円周ガイド突起３５は、第１筒３に形成される円周ガイド溝１８に係合し、第１カム筒６と第１筒３は、前後方向について互いに連結している。つまり、第１カム筒６は、第１筒３に対して、円周方向については回転が許容されるが、前後方向については、円周ガイド溝１８と円周ガイド突起３５との係合により移動が規制される。
【００３９】
第１筒３は、直進ガイド突起１９が直進ガイド溝１５に係合している。つまり、第１筒３は、前後方向については移動が許容されているが、円周方向に対しては回転が規制されている。
【００４０】
したがって、第１カム筒６が回転し、ヘリコイド突起３６とヘリコイド溝１３との作用により、第１カム筒６が前後方向に移動すると、第１カム筒６の円周ガイド突起３５に円周ガイド溝１８が係合している第１筒３は、第１カム筒６と共に前後方向に移動する。
【００４１】
２群レンズ保持枠８の貫通孔８Ａには、直進ガイド板４１Ａが通されている。直進ガイド板４１Ａが設けられる直進ガイド環４１は、係合片４１Ｃが固定筒２に形成される直進ガイド溝１４に係合していることで円周方向への回転が規制されている。つまり、２群レンズ保持枠８は、直進ガイド環４１により円周方向への回転が規制されている。したがって、２群レンズ保持枠８は、第１カム筒６の回転により、カムフォロワ３８，３９と第１カム筒６に形成されるカム溝３３，３４との作用により、カム溝３３，３４の形状に応じて前後方向に移動することができる。
【００４２】
第２カム筒７は、直進ガイド突起３０が第１カム筒６の直進ガイド溝４３に係合している。つまり、第２カム筒７は、第１カム筒６に対して、円周方向については回転が規制される一方で、前後方向については移動が許容される。したがって、第１カム筒６が回転すると、第２カム筒７は、第１カム筒６と共に円周方向に回転する。第２カム筒７の外周面に設けられるカムフォロワ２５は、第１筒３の内周面に形成されるカム溝１６に係合している。第１筒３は、直進ガイド突起１９が直進ガイド溝１５に係合することで円周方向への回転が規制されると共に、円周ガイド溝１８に第１カム筒６の円周ガイド突起３５が係合することで第１カム筒６に対する前後方向への移動が規制されている。そのため、第２カム筒７が第１カム筒６と共に円周方向に回転すると、カムフォロワ２５とカム溝１６の作用により、第２カム筒７は、カム溝１６の形状に応じて前後方向に移動することができる。
【００４３】
第２筒４は、直進ガイド突起２０が第１筒３に形成される直進ガイド溝１７に係合することで円周方向への回転が規制されると共に、円周ガイド突起２２が第２カム筒７に形成される円周ガイド突起２６に係合することで第２カム筒７に対する前後方向への移動が規制されている。したがって、第２筒４は、第２カム筒７と共に前後方向に移動する。
【００４４】
第３筒５は、直進ガイド突起２３が第２筒４に形成される直進ガイド溝２１に係合すると共に、ヘリコイド突起２４が第２カム筒７の外周面に形成されるヘリコイド溝２７に係合している。第３筒５は、直進ガイド突起２３が直進ガイド溝２１に係合することで、前後方向への移動が許容される一方で、円周方向への回転が規制されている。したがって、第２カム筒７が回転すると、第３筒５は、ヘリコイド突起２４とヘリコイド溝２７の作用により、ヘリコイド溝２７に従って、前後方向に移動する。
【００４５】
（ズームレンズ鏡筒１の動作の詳細）
次に、図３から図５、図８、図９および図１０を参照しながら、ズームレンズ鏡筒１の動作の詳細を説明する。
【００４６】
図８は、ズームレンズ鏡筒１の動作状態が、収納状態Ｓ、ワイド状態Ｗ、そしてワイド状態から中間段階（Ｐｏｓ２〜５）を経てテレ状態Ｔに変化するまでのズームレンズ鏡筒１の構成部材（第１筒３、第２筒４等）の位置変化を説明するための図であり、ズームレンズ鏡筒１の断面図が示されている。図８（Ａ）は、ズームレンズ鏡筒１の動作状態が、収納状態Ｓにあるときを示し、図８（Ｂ）は、ワイド状態Ｗにあるときを示している。図８（Ｃ）（Ｄ）（Ｅ）（Ｆ）は、ズームレンズ鏡筒１の動作状態が、図８（Ｂ）に示すワイド状態Ｗから図８（Ｇ）に示すテレ状態Ｔに変化するまでの動作状態である中間段階Ｐｏｓ２〜５をそれぞれ示している。
【００４７】
図３は、第１カム筒６が駆動モータ（図示省略）により回転させられたときに、固定筒２に形成されるヘリコイド溝１３にリードされて移動する第１カム筒６のヘリコイド突起３６の移動状態を示す図である。図３に示す、ヘリコイド突起３６の収納位置ＳＡ、ワイド位置ＷＡ、Ｐｏｓ２Ａ，３Ａ，４Ａ，５Ａ、テレ位置ＴＡは、順に、図８の（Ａ）から（Ｇ）に示す第１カム筒６の位置に対応している。
【００４８】
つまり、ヘリコイド突起３６が収納位置ＳＡに位置しているとき、第１カム筒６は、図８（Ａ）に示す位置に配置され、ヘリコイド突起３６がワイド位置ＷＡに位置しているとき、第１カム筒６は、図８（Ｂ）に示す位置に配置される。そして、ヘリコイド突起３６がＰｏｓ２Ａに位置しているとき、第１カム筒６は図８（Ｃ）に示す位置に配置され、ヘリコイド突起３６がＰｏｓ３Ａに位置しているとき、第１カム筒６は図８（Ｄ）に示す位置に配置され、ヘリコイド突起３６がＰｏｓ４Ａに位置しているとき、第１カム筒６は図８（Ｅ）に示す位置に配置され、ヘリコイド突起３６がＰｏｓ５Ａに位置しているとき、第１カム筒６は図８（Ｆ）に示す位置に配置される。さらに、ヘリコイド突起３６がテレ位置ＴＡに位置しているとき、第１カム筒６は図８（Ｇ）に示す位置に配置される。なお、第１筒３は、第１カム筒６の円周ガイド突起３５に円周ガイド溝１８が係合しているため、第１カム筒６と共に前後方向に移動する。
【００４９】
図４は、第２カム筒７が回転させられたときに、第１筒３に形成されるカム溝１６にリードされて移動する第２カム筒７のカムフォロワ２５の移動状態を示す図である。図４に示すカムフォロワ２５の収納位置ＳＢ、ワイド位置ＷＢ、Ｐｏｓ２Ｂ，３Ｂ，４Ｂ，５Ｂ、テレ位置ＴＢは、順に、図８の（Ａ）から（Ｇ）に示す第２カム筒７の位置に対応している。
【００５０】
第２カム筒７は、直進ガイド突起３０が第１カム筒６の直進ガイド溝４３に係合している。したがって、第２カム筒７は、第１カム筒６と共に回転する。一方、第１筒３は、直進ガイド突起１９が固定筒２の直進ガイド溝１５に係合し円周方向への回転が規制された状態で第１カム筒６と共に前後方向に移動する。したがって、第１カム筒６と共に回転する第２カム筒７は、第１筒３に形成されるカム溝１６にカムフォロワ２５がリードされることで、カム溝１６に従って前後方向に移動する。つまり、カムフォロワ２５とカム溝１６を有するカム機構は、第２カム筒７を第１カム筒６に対して相対的に光軸Ｘ方向に沿って移動することができるカム筒移動手段として構成される。なお、第２筒４は、第２カム筒７の円周ガイド突起２６に円周ガイド突起２２が係合しているため、第２カム筒７と共に前後方向に移動する。
【００５１】
図５は、第２カム筒７が回転させられたときに、第２カム筒７の外周面に形成されるヘリコイド溝２７にリードされて移動する第３筒５のヘリコイド突起２４の移動状態を示す図である。図５に示すヘリコイド突起２４の収納位置ＳＣ、ワイド位置ＷＣ、Ｐｏｓ２Ｃ，３Ｃ，４Ｃ，５Ｃ、テレ位置ＴＣは、順に、図８の（Ａ）から（Ｇ）に示す第３筒５の位置に対応している。第２筒４は、円周ガイド突起２２が第１筒３の直進ガイド溝１７に係合し円周方向への回転が規制された状態で第２カム筒７と共に前後方向に移動する。したがって、第２カム筒７が回転することで、ヘリコイド突起２４がカム溝２８のヘリコイド溝２７にリードされ、第３筒５が前後方向に移動する。
【００５２】
図４、図８に示すように、第２カム筒７は、第１筒３のカム溝１６とカムフォロワ２５との作用により、第１筒３に対して前後方向に移動する。一方、第１筒３は第１カム筒６と共に前後方向に移動する。したがって、第２カム筒７は、第１カム筒６に対して、カム溝１６の形状にしたがって前後に移動することになる。
【００５３】
図９（Ａ）は、ズームレンズ鏡筒１が図８（Ａ）に示す収納状態Ｓにあるときの第１カム筒６と第２カム筒７との位置関係を示し、図９（Ｂ）は、ズームレンズ鏡筒１が図８（Ｂ）に示すワイド状態Ｗにあるときの第１カム筒６と第２カム筒７との位置関係を示す。図９（Ｃ）から図１０（Ｄ）（Ｅ）（Ｆ）は、それぞれ順に、ズームレンズ鏡筒１の動作状態が、図８（Ｃ）（Ｄ）（Ｅ）（Ｆ）に示す中間段階Ｐｏｓ２〜５の状態にあるときの第１カム筒６と第２カム筒７との位置関係を示す。そして、図１０（Ｇ）は、ズームレンズ鏡筒１の動作状態が、図８（Ｇ）に示すテレ状態Ｔにあるときの第１カム筒６と第２カム筒７との位置関係を示す。
【００５４】
なお、図９（Ａ）〜（Ｃ）、図１０（Ｄ）〜（Ｇ）に示す第２カム筒７の位置は、図４に示すカムフォロワ２５の位置（収納位置ＳＢ、ワイド位置ＷＢ、Ｐｏｓ２Ｂ，３Ｂ，４Ｂ，５Ｂ、テレ位置ＴＢ）に対応している。
【００５５】
２群レンズ保持枠８は、図８（Ａ）（Ｂ）に示すように、ズームレンズ鏡筒１が収納状態Ｓおよびワイド状態Ｗにあるときは、第１カム筒６に保持されている。そして、ズームレンズ鏡筒１がワイド状態Ｗからテレ状態Ｔに動作状態が変化するに従って、２群レンズ保持枠８は、図８（Ｃ）〜（Ｆ）に示すように、第２カム筒７の側に移動し、テレ状態Ｔにおいては図８（Ｇ）に示すように、第２カム筒７に保持される。
【００５６】
ズームレンズ鏡筒１が収納状態Ｓにあるときは、２群レンズ保持枠８のカムフォロワ３８，３９は、図９（Ａ）に示すように、カム溝３３，３４の右端となる収納位置ＳＤに配置されている。この状態から、駆動環である第１カム筒６が反時計方向（後方から見て）に回転すると、カム溝３３，３４に導かれて、２群レンズ保持枠８のカムフォロワ３８，３９は、図９（Ｂ）に示すワイド位置ＷＤに移動する。そして、さらに第１カム筒６が回転すると、２群レンズ保持枠８のカムフォロワ３８，３９は、カム溝３３，３４に導かれ、次いで、カム溝２８，２９に導かれて、図９（Ｃ）から図１０（Ｄ）（Ｅ）（Ｆ）に示すように、順にＰｏｓ２Ｄ〜５Ｄに移動する。
【００５７】
ズームレンズ鏡筒１の動作状態が、中間段階Ｐｏｓ３，４の状態にあるときは、図１０（Ｄ）（Ｅ）に示すように、第２カム筒７は、第１カム筒６に対して、第２カム筒７のカム溝２８と第１カム筒６のカム溝３３とが連続する位置に配置される。そして、カム溝２８とカム溝３３とが連続している状態で、第１カム筒６および第２カム筒７が回転すると、２群レンズ保持枠８のカムフォロワ３８は、カム溝３３からカム溝２８に乗り換えることができる。カムフォロワ３８がカム溝３３からカム溝２８に乗り換えた後は、第２カム筒７の反時計方向への回転に従って、カムフォロワ３８，３９は、カム溝２８，２９に従って、図１０（Ｇ）に示すテレ位置ＴＤまで移動する。
【００５８】
つまり、第１カム筒６、第２カム筒７、第１筒３等は、ズームレンズ鏡筒１がワイド状態Ｗからテレ状態Ｔに変化する間に、第１カム筒６および第２カム筒７が所定の位置、たとえば、図１０（Ｄ）（Ｅ）に示す中間段階Ｐｏｓ３，４の位置で、カム溝２８の後端部とカム溝３３の前端部とが連続し、カムフォロワ３８が、カム溝３３からカム溝２８に移動することができるように、カム溝１６の形状、凸面部３２の形状、凹部３７の形状等が設定される。なお、該所定の位置は、カム溝２８、カム溝３３、カム溝２６等の形状や、第１カム筒６および第２カム筒７の前後方向の長さ等により設定される。
【００５９】
上述の図８、図９、図１０等に示すように、ズームレンズ鏡筒１は、２群レンズ保持枠８の移動範囲の前後で、２群レンズ保持枠８の移動を行うカム筒を、第１カム筒６と第２カム筒７とに分け、第２カム筒７を第１カム筒６に対して前後方向に移動することができるように構成されている。そのため、第２カム筒７により移動される２群レンズ保持枠８の移動量は、第２カム筒７のカム溝２８，２９によって移動される移動量と、第２カム筒７が第１カム筒６に対して移動する移動量との合計となる。したがって、２群レンズ保持枠８を１つのカム筒により移動する場合に必要なカム筒の前後方向の長さに比べて、第１カム筒６の前後方向の長さと、第２カム筒７の前後方向の長さとの合計を、第２カム筒７が第１カム筒６に対して移動する移動量に応じて短くすることができる。
【００６０】
つまり、ズームレンズ鏡筒１の収納状態における前後方向の長さは、たとえば、ズームレンズ鏡筒１を、１つのカム筒で２群レンズ保持枠８を収納位置からテレ位置まで移動することができるように構成した場合に比べて、本実施の形態に示すズームレンズ鏡筒１のように、カム筒を第１カム筒６と第２カム筒７とに分け、収納状態において２つのカム筒を前後方向に隣接させた状態とする方が短くすることができる。
【００６１】
特に、本実施の形態におけるズームレンズ鏡筒１は、収納状態において、第２カム筒７のカム溝２８，２９が形成される凸面部３２が、第１カム筒６の凹部３７に嵌合する構成となっている。そのため、第１カム筒６と第２カム筒７とを前後方向に隣接させただけの構成に比べて、収納状態における第１カム筒６の後端と第２カム筒７の前端との距離を短くすることができ、ズームレンズ鏡筒１の収納状態における前後方向の長さをより短くすることができる。
【００６２】
（本実施の形態の主な効果）
ズームレンズ鏡筒１は、２群レンズ１０を保持するレンズ保持部材としての２群レンズ保持枠８と、２群レンズ保持枠８に備えられる第１カムフォロワとしてのカムフォロワ３８をガイドする第１カム溝としてのカム溝３３を有し、２群レンズ保持枠８を光軸Ｘの方向に沿って移動させることができる第１カム筒としての第１カム筒６と、第１カム筒６の光軸Ｘ方向に配置され、カムフォロワ３８をガイドする第２カム溝としてのカム溝２８を有し、２群レンズ保持枠８を光軸Ｘ方向に沿って移動させることができる第２カム筒としての第２カム筒７と、第２カム筒７を第１カム筒６に対して光軸Ｘ方向に移動することができるカムフォロワ２５とカム溝１６を有して構成されるカム筒移動手段とを有し、第１カム筒６、第２カム筒７、およびカムフォロワ２５とカム溝１６は、第１カム筒６および第２カム筒７が光軸Ｘ方向の所定位置に配置されたときに、カム溝２８とカム溝３３とが連続し、カムフォロワ３８がカム溝２８とカム溝３３との間を移動することができるように構成されている。
【００６３】
このようにズームレンズ鏡筒１が構成されることで、第２カム筒７を第１カム筒６に対して相対的に前後方向に移動することができる。そのため、第２カム筒７により移動される２群レンズ保持枠８の移動量は、第２カム筒７によって移動される移動量と、第２カム筒７が第１カム筒６に対して移動する移動量との合計とすることができる。したがって、２群レンズ保持枠８を１つのカム筒により移動する場合に必要なカム筒の前後方向の長さに比べて、第１カム筒６前後方向の長さと第２カム筒７の前後方向の長さとの合計を、第２カム筒７が第１カム筒６に対して移動する移動量分だけ短くすることができる。そのため、たとえば、ズームレンズ鏡筒１の未使用時に第１カム筒６と第２カム筒７とを前後方向に隣接させる状態でズームレンズ鏡筒１の収納状態とする場合でも、１つのカム筒で２群レンズ保持枠８を移動する構成とする場合に比べて、ズームレンズ鏡筒１の未使用時における前後方向の長さを短くすることができる。
【００６４】
ズームレンズ鏡筒１においては、収納状態において、図９（Ａ）に示すように、第２カム筒７のカム溝２８，２９が形成される凸面部３２が、第１カム筒６の凹部３７に嵌合する。そのため、収納状態における第１カム筒６の後端と第２カム筒７の前端との距離を短くすることができ、ズームレンズ鏡筒１の収納状態における前後方向の長さを短くすることができる。
【００６５】
また、２群レンズ保持枠８が、第１カム筒６と第２カム筒７に係合する構成である。そのため、特許文献１のように、レンズ保持部材を第１カム筒に係合させる構成と、第２カム筒に係合させる構成とを別の部材とする場合に比べて、構造の簡略化を図ることができる。
【００６６】
ズームレンズ鏡筒１においては、第２カム筒７が第１カム筒６と共に円周方向に回転すると、カムフォロワ２５とカム溝１６の作用により、第２カム筒７は、カム溝１６の形状に応じて第１カム筒６に対して前後方向に移動する構成となっている。
【００６７】
このようにズームレンズ鏡筒１が構成されることで、たとえば、第１カム筒６のみで、ズームレンズ鏡筒１がテレ状態となる位置まで２群レンズ１０を移動する場合に比べて、テレ状態Ｔ側（本実施の形態では、Ｐｏｓ３，４よりもテレ状態Ｔ側）におけるカム溝２８，２９の傾斜を緩やかにすることができる。これにより、たとえば、第２カム筒７の回転駆動力を小さくすることができる。
【００６８】
図１１の上段（Ａ）は、ズームレンズ鏡筒１の動作状態が収納状態Ｓからテレ状態Ｔまで変化するときの２群レンズ保持枠８の移動を、仮に、第２カム筒７を用いることなく、第１カム筒６を前方に延長部６Ａを設け延長した構成とし、この延長された第１カム筒６のみで２群レンズ保持枠８の移動を行うこととしたときのカムフォロワ３８，３９の移動軌跡Ｒ１，Ｒ２を示す図である。
【００６９】
これに対し、図１１の下段（Ｂ）は、ズームレンズ鏡筒１の動作状態が収納状態Ｓからテレ状態Ｔまで変化するときの２群レンズ保持枠８の移動を、仮に、第１カム筒６を用いることなく、第２カム筒７のみで行う構成としたときのカムフォロワ３８，３９の移動軌跡Ｒ３，Ｒ４を示す図である。図１１（Ｂ）に示す第２カム筒７は、図９（Ａ）から（Ｇ）に示すように光軸Ｘ方向について、第１カム筒６に対して移動可能であるものとする。
【００７０】
図１１の上段（Ａ）と下段（Ｂ）とを比較すると、カムフォロワ３８，３９の位置Ｋよりも収納位置ＳＤ側においては、カムフォロワ３８，３９の移動を第２カム筒７により行うよりも第１カム筒６により行う方が、２群レンズ保持枠８の移動軌跡を緩やかにすることができる。一方、カムフォロワ３８，３９の位置Ｋよりもテレ位置ＴＤ側においては、第２カム筒７を第１カム筒６に対して移動可能とすることで、カムフォロワ３８，３９の移動を第１カム筒６により行うよりも第２カム筒７により行う方が、２群レンズ保持枠８の移動軌跡を緩やかにすることができる。なお、位置Ｋは、カム溝３３とカム溝２８とが連続する所定位置に対応し、２群レンズ保持枠８の移動量や、第２カム筒７の移動量等により変わる。つまり、カムフォロワ３８，３９が第１カム筒６から第２カム筒７にあるいは第２カム筒７から第１カム筒６に移動する位置Ｋは、２群レンズ保持枠８の移動量や、第２カム筒７の移動量等により適宜に設定する。
【００７１】
カム溝２８とカム溝３３とは、拡幅部２８Ｂと拡幅部３３Ｂとにおいて互いに連続することができる。拡幅部２８Ｂは、ガイド部２８Ａよりも溝幅が広く、また拡幅部３３Ｂも、ガイド部３３Ａよりも溝幅が広い。そのため、カム溝２８とカム溝３３とが互いに連続した状態で、カムフォロワ３８がカム溝２８からカム溝３３に、あるいはカム溝３３からカム溝２８に乗り換える際に、乗り換え先のカム溝にカムフォロワ３８が確実に進入することができる。
【００７２】
つまり、カムフォロワ３８の位置精度を高くするため、カム溝３３との間で前後方向へのガタつきが少なくなるように、カム溝３３のガイド部３３Ａの溝幅は、カムフォロワ３８の直径にできるだけ近くなるように設定される。また、同様に、カム溝２８のガイド部２８Ａの溝幅もカムフォロワ３８の直径にできるだけ近くなるように設定される。そのため、カム溝２８とカム溝３３が連続する部分の開口部の溝幅が、ガイド部２８Ａおよびガイド部３３Ａの溝幅に対応した幅の場合には、カムフォロワ３８が、開口部の縁に衝突し、乗り換え先のカム溝にカムフォロワ３８が進入できない虞がある。しかしながら、拡幅部２８Ｂと拡幅部３３Ｂを設けることで、カムフォロワ３８がカム溝２８からカム溝３３に、あるいはカム溝３３からカム溝２８に乗り換える際に、乗り換え先のカム溝にカムフォロワ３８が確実に進入することができる。
【００７３】
２群レンズ保持枠８は、第１カムフォロワとしてのカムフォロワ３８に対して光軸Ｘ方向にずれた位置に配置される第２カムフォロワとしてのカムフォロワ３９を有し、第２カム筒７には、カムフォロワ３８が第２カム筒７によるガイドを外れた後に、カムフォロワ３９をガイドする第３カム部としてのカム溝２９が設けられている。
【００７４】
ズームレンズ鏡筒１の動作状態が、図８（Ｅ）〜図８（Ｆ）に示すように中間段階Ｐｏｓ４〜５の状態にあるとき、２群レンズ保持枠８は、図１０（Ｅ）〜図１０（Ｆ）に示すようにカムフォロワ３８がカム溝２８のガイドを受けて移動する。しかしながら、ズームレンズ鏡筒１の動作状態が、図８（Ｆ）に示す中間位置Ｐｏｓ５〜図８（Ｇ）のテレ状態Ｔにあるとき、２群レンズ保持枠８は、図１０（Ｇ）に示すようにカムフォロワ３９がカ
ム溝２９のガイドを受けて移動する。つまり、カムフォロワ３８がカム溝２８のガイドを外れた後は、カムフォロワ３９がカム溝２９のガイドを受ける。仮に、カムフォロワ３９とカム溝２９を有しない構成で、２群レンズ保持枠８の移動量を本実施の形態における移動量と同量とするためには、カムフォロワ３８の移動範囲までカム溝２８を延長する必量があり、第２カム筒７の前後方向の長さが長くなる。
【００７５】
しかしながら、本実施の形態では、カムフォロワ３８の後方にカムフォロワ３９を設け、カムフォロワ３８がカム溝２８のガイドを外れた後、カムフォロワ３９がカム溝２９に係合する構成であるため、第２カム筒７の全長の長さを抑えながら、２群レンズ保持枠８の移動量を確保することができる。
【００７６】
なお、カム溝２８によるカムフォロワ３８のガイドと、カム溝２９によるカムフォロワ３９のガイドとが同時に行われる構成とすると、一方のガイドが他方のガイドに影響を与える虞があり好ましくない。そこで、カム溝２８によるカムフォロワ３８のガイドと、カム溝２９によるカムフォロワ３９のガイドとが同時に行われないように、カム溝２８、カム溝２９、カムフォロワ３８、およびカムフォロワ３９は配置されている。
【００７７】
なお、カム溝３３のガイド部３３Ａの溝幅は、カムフォロワ３８とカム溝３３との間の前後方向へのガタつきが少なくなるように、カムフォロワ３８の直径にできるだけ近くなるように設定される。これに対し、カム溝３４の溝幅は、カム溝２９の溝幅よりも広く設定されている。カム溝３４をこのように構成することで、カム溝３３によるカムフォロワ３８のガイドに加えて、カム溝３４によるカムフォロワ３９のガイドが行われないようになっている。
【００７８】
ズームレンズ鏡筒において、第１カム筒６と第２カム筒７は、光軸Ｘ方向において互いに嵌合することができる凹凸形状として、凸面部３２と凹部３７とを有している。図８（Ａ）および図９（Ａ）に示すようにズームレンズ鏡筒１が収納状態にあるとき、凹部３７に凸面部３２を嵌合させた状態で、第１カム筒６と第２カム筒７が前後方向に隣接させた状態となる。
【００７９】
そのため、ズームレンズ鏡筒１を収納状態としたとき、たとえば、第１カム筒６と第２カム筒７とを互いに嵌合させることなく、前後方向に隣接するだけの構成とする場合に比べて、収納状態における第１カム筒６の後端と第２カム筒７の前端との距離を短くすることができる。これにより、ズームレンズ鏡筒１の収納状態における前後方向の長さをより短くすることが可能となる。
【００８０】
第２カム筒７において、円周方向に配置される凸面部３２は、凹面部３１により連結されている。凹面部３１は、凸面部３２を第１カム筒６の凹部３７に嵌合させたときに、第１カム筒６の外周側に配置されるように形成されている。これにより、収納状態における第１カム筒６の後端と第２カム筒７の前端との距離が長くなることを抑えながら、凸面部３２と凹部３７の光軸Ｘ方向における嵌合量（長）を長く確保することができる。
【００８１】
たとえば、凸面部３２を連結する部分を第１カム筒６の外周の直径よりも小さく構成した場合には、凸面部３２を凹部３７に嵌合させるときに、該連結部が第１カム筒６と干渉してしまう。そのため、凸面部３２と凹部３７の光軸Ｘ方向における嵌合量（長）は、該連結部により制限されてしまう。これに対し、凸面部３２を第１カム筒６の凹部３７に嵌合させたときに、凹面部３１が第１カム筒６の外周側に配置されるように形成することで、収納状態における第１カム筒６の後端と第２カム筒７の前端との距離が長くならないようにしつつ、凸面部３２と凹部３７の光軸Ｘ方向における嵌合量（長）を長く確保することができる。
【００８２】
つまり、ズームレンズ鏡筒１の収納状態において、第１カム筒６の後端と第２カム筒７の前端との距離を短くすることができる。特に、本実施の形態のズームレンズ鏡筒１においては、ズームレンズ鏡筒１の収納状態において、凹面部３１の全体が第１カム筒６の外周側に配置されるように形成されている。これにより、第２カム筒７の前端が第１カム筒６の前端から突出しないようにすることができ、ズームレンズ鏡筒１の収納状態において、第１カム筒６の後端と第２カム筒７の前端との距離をより短くすることができる。
【００８３】
上述の実施の形態では、２群レンズを２つのカム筒（第１カム筒６、第２カム筒７）との間で受け渡す構成としているが、１群レンズを２つのカム筒により受け渡す構成とすることも可能である。また、レンズ構成が３群以外のズームレンズ鏡筒においても、２群レンズに限らず他の群レンズについて、２つのカム筒により受け渡す構成とすることができる。
【符号の説明】
【００８４】
Ｘ  …  光軸
１  …  ズームレンズ鏡筒
６  …  第１カム筒
７  …  第２カム筒
８  …  ２群レンズ保持枠（レンズ保持部材）
１０  …  ２群レンズ
１６  …  カム溝（カム筒移動手段の一部）
２５  …  カムフォロワ（カム筒移動手段の一部）
２８  …  カム溝（第２カム溝）
３２  …  凸面部（凹凸形状の一部）
３３  …  カム溝（第１カム溝）
３７  …  凹部（凹凸形状の一部）
３８  …  カムフォロワ（第１カムフォロワ）
３９  …  第２カムフォロワ
【図１】
0005754949.tif 000002
【図２】
0005754949.tif 000003
【図３】
0005754949.tif 000004
【図４】
0005754949.tif 000005
【図５】
0005754949.tif 000006
【図６】
0005754949.tif 000007
【図７】
0005754949.tif 000008
【図８】
0005754949.tif 000009
【図９】
0005754949.tif 000010
【図１０】
0005754949.tif 000011
【図１１】
0005754949.tif 000012